(57)【要約】【課題】ミネラル水、清涼飲料水、ジュース又はお茶等を貯留して携行し、何処でも自由に飲める便利性があるボトル類であるが、その内容物を飲用する際には、ボトル本体を片手に持ち、もう一方の手で螺子込み式のボトルキャップを嵌脱しなければならず、必ず両手を必要とした、しかし片手が荷物等で塞がったり、車の運転などでは両手をハンドルから離すことは極めて危険な状態であり、片手が不自由な障害者など問題が指摘されていた。【解決手段】キャップ胴体の上部をスライド蓋とし、前記スライド蓋の周端部の１箇所にピン軸で前記キャップ胴体の上部縁と軸着し、前記ピン軸を中心軸として回動するスライド蓋であって、前記スライド蓋のピン軸の少なくとも対面側の前記スライド蓋の外周縁に突起片を突設し、前期キャップ胴体の上部の外周縁に前記突起片を嵌脱するコ状溝孔を外設した。【選択図】図１
2005082199.tif 000002
【特許請求の範囲】
【請求項１】
キャップ胴体の上部をスライド蓋とし、前記スライド蓋の周端部の１箇所にピン軸で前記キャップ胴体の上部縁と軸着し、前記ピン軸を中心軸として回動するスライド蓋であって、前記スライド蓋のピン軸の少なくとも対面側の前記スライド蓋の外周縁に突起片を突設し、前期キャップ胴体の上部の外周縁に前記突起片を嵌脱するコ状溝孔を外設したことを特徴とするスライド式ボトルキャップ。
【請求項２】
請求項１記載のボトルキャップを備えたことを特徴とするペットボトル。
【発明の詳細な説明】
【技術分野】
【０００１】
本発明は、ミネラル水、清涼飲料水、ジュース又はお茶等を貯留する、ボトル類の頸部ボトルキャップの上部スライド式蓋栓と、このボトルキャップを具備するペットボトルに関する。
【背景技術】
【０００２】
従来、ボトルキャップとして、瓶形のボトル本体の頸部に螺子込み式のボトルキャップとして嵌合されるものがある。
【０００３】
このような、ボトルキャップ は、シャンプーや洗剤の収容等、種々の用途に使用されているが、近年においては飲料用としての用途にも使用されている。
【０００４】
飲料用のボトルキャップ としては、ボトル頸部の口に嵌脱自在に嵌合される。
【特許文献１】特開２０００−２４７３５２号公報
【発明の開示】
【発明が解決しようとする課題】
【０００５】
従来より、ミネラル水、清涼飲料水、ジュース又はお茶等を、ボトル類に貯留して、流通し、販売し又は携行することが周知である。ボトル類とは、特に、スチール缶、アルミ缶、又は、ポリエチレンテレフタレートを主原料としたブローアンドブロー法により成形されるペットボトル等のように、瓶形のボトル本体の頸部に螺子込み式のボトルキャップ
を着脱自在に取り付けるものである。
【０００６】
上記のようなボトル類からその内容物を飲用する際には、ボトル本体を片手に持ち、もう一方の手で螺子込み式のボトルキャップを嵌脱しなければならず、必ず両手を必要とした、しかし片手が荷物等で塞がったり、車の運転などでは両手をハンドルから離すことは極めて危険な状態であり、片手が不自由な障害者など問題が指摘されていた。
【課題を解決するための手段】
【０００７】
本発明に係るボトルキャップは、キャップ胴体の上部をスライド蓋とし、前記スライド蓋の周端部の１箇所にピン軸で前記キャップ胴体の上部縁と軸着し、前記ピン軸を中心軸として回動するスライド蓋であって、前記スライド蓋のピン軸の少なくとも対面側の前記スライド蓋の外周縁に突起片を突設し、前期キャップ胴体の上部縁の外周縁に前記突起片を嵌脱するコ状溝孔を外設したことを特徴とするものである。
【０００８】
更に、本発明に係るボトルキャップは、以上に記載したボトルキャップを具備したことを特徴とするペットボトルである。
【発明の効果】
【０００９】
本発明に係るボトルキャップ及びペットボトルによれば、片手が荷物で塞がったり、車の運転では両手を離さずに、また片手が不自由な障害者なども含めてスライド蓋を片手でスライドして内容物が飲めるので、両手を使わないですむ。しかも、構造が簡単で、現在使用中のボトルキャップを加工するだけなので安価な製造コストですむ。またボトル本体の加工の必要がないことも製造又は流通に伴うコストを最小限に抑えることができる。
【発明を実施するための最良の形態】
【００１０】
ボトルキャップの上部に回動するスライド蓋を具備することで実現した。
【実施例１】
【００１１】
図１に、本発明の実施の形態に係るボトルキャップ１を、ボトル本体２の頸部３に装着した状態の斜視図を示す。図２に、その動作を説明する断面図を示す。図３に、本発明の平面図を示す。ボトルキャップ１は、図１に示す状態でボトル本体２の栓蓋としての機能を果たす部品であるが、これ自体をボトル本体２から独立した製品とし、適宜選択した既成のボトル類、例えばペットボトルに装着するようにしてもよい。
【００１２】
ボトルキャップ１の特徴とするところは、図１に示すように、キャップ胴体４の上部にスライド蓋５を設けて、前記スライド蓋５は周端部の１箇所にピン軸８でキャップ胴体４の上部縁とで軸着されている。前記スライド蓋５の前記ピン軸８の少なくとも対面側の外周縁に突起片６を突設している。
【００１３】
図３に示すように前記ピン軸８を中心軸として左右に回動するスライド蓋５であって、前記スライド蓋５のピン軸の少なくとも対面側の外周縁に突起片８を突設し、前期キャップ胴体４の上部縁の外周縁に前記突起片８を嵌脱するコ状溝孔７を外設している。
【００１４】
図２に示すように、ボトル本体２の頸部３は頸部外側に螺子山があり、キャップ胴体４の内側の螺子山とで螺接される。
【００１５】
キャップ胴体４の上部縁の１箇所に前記スライド蓋５を貫通するピン軸８を設け、前記ピン軸８はスライド蓋５の周端部の１箇所の穴に貫通して、前記ピン軸８は前記スライド蓋５が離脱しないように、前記ピン軸の頭はスライド蓋５の貫通穴より大きな形状になっている。
【００１６】
前記キャップ胴体４の上部縁のピン軸８の少なくとも対面側にコ状溝孔７が固設され、前記スライド蓋５の周端部の１箇所のピン軸８の少なくとも対面側の外周縁に突設している突起片８を嵌脱する。
【００１７】
前記スライド蓋５はピン軸８を中心軸として左右に回動する、スライド蓋５がコ状溝孔７に嵌着されているときは蓋栓としてボトルの内容物がこぼれ出ることはない、スライド蓋５がコ状溝孔７から離脱し、スライド蓋５をスライドさせたときは蓋栓がはずれた状態になりボトルの内容物を飲むことができる。
【００１８】
前記スライド蓋５は片手の指でスライド蓋５の上部をスライドさせればコ状溝孔７から簡単に嵌脱することができる。
【００１９】
前記スライド蓋５がキャツプ胴体４との蓋栓の隙間からボトルの内容物が漏れ出ないために、例えば接合部にオーリングやゴム栓などの防水栓を固設してもよい、またはコ状溝孔７を長くすることで防水性を高めることもできる。
【産業上の利用可能性】
【００２０】
ミネラル水、清涼飲料水、ジュース又はお茶等を、ボトル類に貯留して、携行し何時でも飲むことができる、また化粧水やシャンプーや洗剤などの種々の用途などにも適用できる。
【図面の簡単な説明】
【００２１】
【図１】この発明に係わるボトルキャップをボトル本体に装着した斜視図である。
【図２】図１に示したボトルキャップの断面図である。
【図３】図１に示したボトルキャップの平面図である。
【符号の説明】
【００２２】
１    ボトルキャップ
２    ボトル本体
３    頸部
４    キャップ胴体
５    スライド蓋
６    突起片
７    コ状溝孔
８    ピン軸
【図１】
2005082199.tif 000003
【図２】
2005082199.tif 000004
【図３】
2005082199.tif 000005